(57)【要約】【課題】構築物のベタ基礎を構築する縦横の調整が可能な仮設材を使用しないベタ基礎型枠を提供する。【解決手段】仮設材を使わないで縦横の調整ができるベタ基礎型枠であって、捨てコンクリート３上に適切な間隔で縦方向調整部材４をコンクリート釘７で配置固定をして、ベニヤ型枠９を差し込み、ベニヤ型枠調整楔８で縦方向の調整をする。ベニヤ型枠９の上部に横方向の調整をする部材２を取り付けて、そのセパレータ１０部分を結束部材１５で鉄筋１６に結束固定をして、横方向調整木コン１２と木コン用ナット１４を回して横方向の調整をする。横方向の調整後コンクリート１７を打設してベタ基礎を構築する。コンクリート１７の打設後も縦横の型枠の微調整ができることと、仮設材を使用しないことを特徴とする。【選択図】  図２
2008196181.tif 000002
【特許請求の範囲】
【請求項１】
構築物を構築するベタ基礎型枠であって、捨てコンクリート上に設けた縦方向の調整をする部材と型枠の上部に取り付けた横方向の調整をする部材を用いてベタ基礎型枠が構築できて、仮設材を使わないで縦横の調整ができることを特徴とする、ベタ基礎型枠の工法。
【請求項２】
捨てコンクリート上に適切な間隔で縦方向調整部材をコンクリート釘で配置固定をして、ベニヤ型枠を差し込みベニヤ型枠調整楔で縦方向の調整をすることを特徴とする、請求項１記載の縦方向の調整をする部材。
【請求項３】
ベニヤ型枠に設けられた木コン用孔に横方向調整木コンの外螺子部分を差し込み木コン用ナットでベニヤ型枠を締め固定する、横方向調整木コンのセパレータの螺子穴は調整可能な深さとし、その螺子穴にセパレータをねじ込みセパレータ部分を結束部材で鉄筋に結束固定をして、横方向調整木コンと木コン用ナットを回しつつ横方向の調整することを特徴とする、請求項１記載の横方向の調整をする部材。
【請求項４】
請求項３記載の横方向の調整をする部材のセパレータに内型枠固定セパレータを取り付けて、内型枠の取り付けを可能にすることを特徴とする、請求項１記載の横方向の調整をする部材。
【請求項５】
ベニヤ型枠に設けられた木コン用孔に横方向調整木コンの外螺子部分を差し込み木コン用ナットでベニヤ型枠を締め固定する、横方向調整木コンのセパレータの螺子穴は調整可能な深さとする、その螺子穴にセパレータをねじ込みセパレータを固定して、横方向調整木コンの外螺子部分の木コンに設けた穴を左右に回し横方向の調整をすることを特徴とする横方向調整木コン。
【発明の詳細な説明】
【技術分野】
【０００１】
本発明は、構築物のベタ基礎を構築するベタ基礎型枠に関するものである。
【背景技術】
【０００２】
従来の小規模な構築物の基礎はベタ基礎が普及している。その型枠は木製、金属製で仮設材を使用した構築が大半である。構築物の基礎は構築物を支えるものであり、構築には高い精度が要求される。しかしながら従来の工法では上下の調整が困難なため、型枠にコンクリート天を示すレベル釘（図8在来工法のベタ基礎型枠）などでコンクリートの打設位置としているのが現状である。
【０００３】
他方、ベタ基礎の形状によっては布基礎をベタ基礎（床盤部）より立ち上げたベタ基礎を、ベタ基礎型枠（特許文献１参照）で一体打設する工法も開発されている。
【０００４】
【特許文献１】特許公開２００２−２０１６５０
【発明の開示】
【発明が解決しようとする課題】
【０００５】
従来の構築物の基礎型枠には次のような問題があった。
構築物の基礎は構築物の精度を定める大切な基であるにもかかわらず、型枠の上端を敏速かつ正確に水平にする調整機能を持たせた型枠がない。
構築物の基礎は構築物の精度を定める大切な基であるにもかかわらず、型枠の上端を敏速かつ正確に左右に移動させる調整機能を持たせた型枠がない。
従来の型枠はベニヤ型枠が大半であるが、ベニヤ型枠を固定するため補助残や鋼管バタなどの仮設材が使用される。そのことによりベニヤ型枠が一体化され部分的なレベル調整が困難となる。
他方、開発された一体打設する工法は施工が複雑であるとともに仮設材を必要とする工法である。また、型枠を上下させる機能もない。それらの製作コストは多く掛かり建設のコスト高となる。
【０００６】
前記した問題点を従来の工法で解決するには、複雑な工法と部材が必要となり施工コストが高くなるという不具合を生じる。本発明は、前記の諸問題を解決した仮設材を使わない、縦横の調整ができるベタ基礎型枠を提供することを目的とする。
【課題を解決するための手段】
【０００７】
前記の問題を解決するため、本発明に係る仮設材を使わない縦横の調整ができるベタ基礎型枠は、捨てコンクリート上に設けた縦方向の調整をする部材と型枠の上部に取り付けた横方向の調整をする部材を用いてベタ基礎型枠が構築できて、仮設材を使わないで縦横の調整ができることを特徴とする、ベタ基礎型枠の工法を要旨とするものである。
【０００８】
請求項２に係る、捨てコンクリート上に適切な間隔で縦方向調整部材をコンクリート釘で配置固定をして、ベニヤ型枠を差し込みベニヤ型枠調整楔で縦方向の調整をすることを特徴とする、請求項１記載の縦方向の調整をする部材を要旨とするものである。
【０００９】
請求項３に係る、ベニヤ型枠に設けられた木コン用孔に横方向調整木コンの外螺子部分を差し込み木コン用ナットでベニヤ型枠を締め固定する、横方向調整木コンのセパレータの螺子穴は調整可能な深さとし、その螺子穴にセパレータをねじ込みセパレータ部分を結束部材で鉄筋に結束固定をして、横方向調整木コンと木コン用ナットを回しつつ横方向の調整することを特徴とする、請求項１記載の横方向の調整をする部材を要旨とするものである。
【００１０】
請求項４に係る、請求項３記載の横方向の調整をする部材のセパレータに内型枠固定セパレータを取り付けて、内型枠の取り付けを可能にすることを特徴とする、請求項１記載の横方向の調整をする部材を要旨とするものである。
【００１１】
請求項５に係る、ベニヤ型枠に設けられた木コン用孔に横方向調整木コンの外螺子部分を差し込み木コン用ナットでベニヤ型枠を締め固定する、横方向調整木コンのセパレータの螺子穴は調整可能な深さとする、その螺子穴にセパレータをねじ込みセパレータを固定して、横方向調整木コンの外螺子部分の木コンに設けた穴を左右に回し横方向の調整をすることを特徴とする横方向調整木コンを要旨とするものである。
【００１２】
本発明によると、仮設材を使わないで縦横の調整ができるベタ基礎型枠にすることで簡潔な構造で、円滑かつ敏速にベタ基礎型枠を構築することができる。
【発明の効果】
【００１３】
以上の説明から明らかなように、本発明にあっては次に列挙する効果がえられる。
【００１４】
本発明に係る、仮設材を使わないで縦横の調整ができるベタ基礎型枠は、捨てコンクリートの均しに若干の不備が有ったとしても縦方向の調整をする部材がベニヤ型枠を上下させる調整機能を備えているため、ベニヤ型枠は規定の寸法で加工できる。また、補助桟等の介助仮設材を必要としない。介助仮設材を必要としないことでベニヤ型枠の転用回数が多くなり経済的である。横方向の調整については、横方向の調整をする部材で調整できることから、ベニヤ型枠の天端が定まり非常に精度の高いベタ基礎の型枠組みができる。コンクリートの打設後に微調整をすることが可能であり、より精度の高いベタ基礎が構築できる。以上発明の効果を説明してきたが本発明の最大の特長は従来のベタ基礎型枠の工法に比べて非常に精度の高いベタ基礎が短納期、ローコストで構築できることである。
【００１５】
前記に重ねて説明したいことは、ベニヤ型枠の転用回数が多くなり経済的であることは前記したが、ベニヤ型枠は単体であるため、作業性が非常によく、運搬や保管も容易である。また、補助残や仮設材を使わないことは産業廃棄物の削減が図れるとともに、経済的である。
【発明を実施するための最良の形態】
【００１６】
以下、本発明の実施の形態を図面に基づき詳細に説明する。
【００１７】
図1〜図２は本発明の実施の形態を示したものであり、図1は布基礎が設けられたベタ基礎の縦横の調整ができる仮設材を使わないベタ基礎型枠の実施例を示す断面図、図2は地中梁を必要とするベタ基礎の縦横の調整ができる仮設材を使わないベタ基礎型枠の実施例を示す断面図、図3は横方向の調整をする部材の実施例を示す原寸断面図、図4は図３の正面原寸図、図５は縦方向の調整をする部材の実施例を示す原寸断面図、図６は縦方向の調整をする部材の正面原寸図、図７は縦方向の調整をする部材の平面原寸図、図８は在来工法のベタ基礎型枠の実施例を示す断面図である。
【００１８】
図１は布基礎が設けられたベタ基礎の縦横の調整ができる仮設材を使わないベタ基礎型枠の実施例を示す断面図で、ベタ基礎の根入れ部分の捨てコンクリート３上に墨出しを行い、縦方向調整部材４をコンクリート釘７で配置固定をして、ベニヤ型枠９を差し込みベニヤ型枠調整楔８で縦方向の調整をする。ベニヤ型枠９の上部に開けられた木コン用孔１１に横方向の調整をする部材２を取り付けて、そのセパレータ１０（内型枠固定セパレータ１８付き）部分を結束部材１５で鉄筋１６に結束固定をして、横方向の調整を終え、内型枠１９を型枠固定部材２０と型枠巾止め２１を用いて伏せこみ、コンクリート１７を打設して布基礎が設けられたベタ基礎を構築する。コンクリート１７の打設後、横方向の調整については、横方向調整木コン１２の木コンに設けた穴１３を廻して微調整をする。
【００１９】
図２は地中梁を必要とするベタ基礎の縦横の調整ができる仮設材を使わないベタ基礎型枠の実施例を示す断面図で、ベタ基礎の根入れ部分の捨てコンクリート３上に墨出しを行い、縦方向調整部材４をコンクリート釘７で配置固定をして、ベニヤ型枠９を差し込みベニヤ型枠調整楔８で縦方向の調整をする。ベニヤ型枠９の上部に開けられた木コン用孔１１に横方向の調整をする部材２を取り付けて、そのセパレータ１０部分を結束部材１５で鉄筋１６に結束固定をして、横方向の調整をしつつコンクリート１７を打設をして地中梁を必要とするベタ基礎を構築する。コンクリート１７の打設後、横方向の調整については、横方向調整木コン１２の木コンに設けた穴１３を廻して微調整をする。
【００２０】
図３は横方向の調整をする部材の実施例を示す原寸断面図で、ベニヤ型枠９に設けられた木コン用孔１１に横方向調整木コン１２の外螺子部分を差し込み木コン用ナット１４でベニヤ型枠９を締め固定する、横方向調整木コン１２のセパレータ１０の螺子穴は調整可能な深さとする、その螺子穴にセパレータ１０をねじ込みセパレータ１０部分を結束部材１５で鉄筋１６に結束固定をする。
【００２１】
図４は図３の正面原寸図で、横方向調整木コン１２の外螺子部分にベニヤ型枠９を固定する木コン用ナット１４をねじ込んで、横方向調整木コン１２の外螺子部分の木コンに設けた穴１３を左右に回し横方向の調整をする。
【００２２】
図５は縦方向の調整をする部材の実施例を示す原寸断面図で、捨てコンクリート３上に縦方向調整部材４をコンクリート釘７で固定をして、ベニヤ型枠９を差し込みベニヤ型枠調整楔８で縦方向の調整をする。
【００２３】
図６は縦方向の調整をする部材の正面原寸図で、楔開口部５と釘孔６を設けた縦方向調整部材４の正面原寸図である。
【００２４】
図７は縦方向の調整をする部材の平面原寸図で、楔開口部５と釘孔６を設けた縦方向調整部材４の平面原寸図である。
【００２５】
図８は在来工法のベタ基礎型枠の実施例を示す断面図で、参考図として添付する。
【実施例】
【００２６】
本発明の図２の地中梁を必要とするベタ基礎の縦横の調整ができる仮設材を使わないベタ基礎型枠の実施例を説明すれば、ベタ基礎の根入れ部分の捨てコンクリート３上に墨出しを行い、地中梁、床盤の配筋を完了して、捨てコンクリート３上に縦方向調整部材４をコンクリート釘７で固定をして、ベニヤ型枠９を差し込みベニヤ型枠調整楔８で縦方向の調整をする。横方向の調整をする部材は、ベニヤ型枠９に設けられた木コン用孔１１に横方向調整木コン１２の外螺子部分を差し込み木コン用ナット１４でベニヤ型枠９を締め固定する、横方向の調整をする部材のセパレータ１０部分を結束部材１５で配筋された鉄筋１６に結束固定をして、横方向の調整を終え、コンクリート１７を打設して地中梁を必要とするベタ基礎を構築する。コンクリート１７打設後、横方向調整木コン１２の木コンに設けた穴１３を廻して微調整をすることで、簡潔かつ敏速で精度の高い地中梁を必要とするベタ基礎が構築できる。
【００２７】
以上、本発明はベタ基礎の縦横の調整ができる仮設材を使わないベタ基礎型枠の実施の形態を説明したが、本発明の範囲はこれに限定されるものではない。一例として、型枠をベニヤ型枠としているがベニヤ型枠に限定するものではない、成型したものなど状況に応じて適宜選択されるものである。
【図面の簡単な説明】
【００２８】
【図１】布基礎が設けられたベタ基礎の縦横の調整ができる仮設材を使わないベタ基礎型枠の実施例を示す断面図である。
【図２】地中梁を必要とするベタ基礎の縦横の調整ができる仮設材を使わないベタ基礎型枠の実施例を示す断面図である。
【図３】横方向の調整をする部材の実施例を示す原寸断面図である。
【図４】図３の正面原寸図である。
【図５】縦方向の調整をする部材の実施例を示す原寸断面図である。
【図６】縦方向の調整をする部材の正面原寸図である。
【図７】縦方向の調整をする部材の平面原寸図である。
【図８】在来工法のベタ基礎型枠の実施例を示す断面図である。
【符号の説明】
【００２９】
縦方向の調整をする部材
横方向の調整をする部材
捨てコンクリート
縦方向調整部材
楔開口部
釘孔
コンクリート釘
ベニヤ型枠調整楔
ベニヤ型枠
セパレータ
木コン用孔
横方向調整木コン
木コンに設けた穴
木コン用ナット
結束部材
鉄筋
コンクリート
内型枠固定セパレータ
内型枠
型枠固定部材
型枠巾止め
アンカーボルト
土台下部材
土台
【図１】
2008196181.tif 000003
【図２】
2008196181.tif 000004
【図３】
2008196181.tif 000005
【図４】
2008196181.tif 000006
【図５】
2008196181.tif 000007
【図６】
2008196181.tif 000008
【図７】
2008196181.tif 000009
【図８】
2008196181.tif 000010